(57)【要約】【課題】  機械的な調整加工を不要とし、調整工程の容易化及び時間短縮による調整能率向上を実現するとともに、セミアッセンブリ状態の交換レンズに対して、振動や熱，切粉等の悪影響を回避する。【解決手段】  フォーカスリングの内周面に設けた雌ネジ部２ｎとこのフォーカスリング２を内側で支持するリング支持筒部５の外周面に設けた雄ネジ部５ｓを螺合させた補正運動変換部Ｍｓを有するとともに、補正運動変換部Ｍｓを、フォーカスリング２の周方向変位量に対する運動変換後の軸方向変位量の変換比の異なる複数の補正運動変換部Ｍｓａ，Ｍｓｂ…から選択可能な補正量選択手段Ｆｓを備える。【選択図】  図１
2010054911.tif 000002
【特許請求の範囲】
【請求項１】
フォーカスリングの周方向変位を第一運動変換機構により軸方向変位に変換してレンズに伝達するフォーカシング機構と、前記フォーカスリングの周方向変位を第二運動変換機構により軸方向変位に変換し、カメラボディのレンジファインダにリンクする被伝達部に伝達するフォーカス情報伝達機構を備えるレンジファインダ式カメラ用交換レンズにおいて、前記フォーカスリングの内周面に設けた雌ネジ部とこのフォーカスリングを内側で支持するリング支持筒部の外周面に設けた雄ネジ部を螺合させて軸方向変位の補正を行う補正運動変換部を有するとともに、この補正運動変換部を、前記フォーカスリングの周方向変位量に対する運動変換後の軸方向変位量の変換比の異なる複数の補正運動変換部から選択可能な補正量選択手段を備えることを特徴とするレンジファインダ式カメラ用交換レンズ。
【請求項２】
前記第二運動変換機構は、前記フォーカスリングに対して軸方向変位が許容され、かつ周方向変位が規制されるとともに、周面部にカム溝部を有する第一伝達筒と、前記カム溝部に係合する係合部を有し、かつ外端が前記被伝達部に係合するとともに、軸方向変位が許容され、かつ周方向変位が規制された第二伝達筒を備えることを特徴とする請求項１記載のレンジファインダ式カメラ用交換レンズ。
【請求項３】
前記補正量選択手段は、予め異なる位置に一緒に形成した複数の異なる補正運動変換部の中から使用する補正運動変換部以外の補正運動変換部を切削可能に構成することを特徴とする請求項１又は２記載のレンジファインダ式カメラ用交換レンズ。
【請求項４】
前記使用する補正運動変換部以外の補正運動変換部の切削は、前記雌ネジ部と前記雄ネジ部の一方又は双方に対して行うことを特徴とする請求項３記載のレンジファインダ式カメラ用交換レンズ。
【請求項５】
前記補正量選択手段は、異なる雌ネジ部をそれぞれ形成した複数の前記フォーカスリング、又前記フォーカスリングに着脱可能に構成し、異なる雌ネジ部をそれぞれ形成した複数のリング補助部品を用いるとともに、異なる雄ネジ部をそれぞれ形成した複数の前記リング支持筒部、又は前記リング支持筒部に着脱可能に構成し、異なる雄ネジ部をそれぞれ形成した複数の支持筒補助部品を用いることを特徴とする請求項１記載のレンジファインダ式カメラ用交換レンズ。
【発明の詳細な説明】
【技術分野】
【０００１】
本発明は、交換レンズ側のフォーカス情報をカメラボディ側に伝達するフォーカス情報伝達機構を備えるレンジファインダ式カメラ用交換レンズに関する。
【背景技術】
【０００２】
一般に、スチルカメラとしては、レンジファインダ式カメラと一眼レフ式カメラが知られている。レンジファインダ式カメラは、レンズの光学系とファインダの光学系が分かれているため、レンズのフォーカス情報をカメラボディのレンジファインダに伝達する機構が必要となり、通常、フォーカスリングの周方向変位を第一運動変換機構により軸方向変位に変換してレンズに伝達するフォーカシング機構と、フォーカスリングの周方向変位を第二運動変換機構により軸方向変位に変換し、カメラボディのレンジファインダにリンクする被伝達部に伝達するフォーカス情報伝達機構を備えている。
【０００３】
従来、この種のレンジファインダ式カメラとしては、特許文献１で開示されるレンジファインダ式カメラ（デジタルカメラ）が知られており、同文献１には、カメラボディに対して交換レンズを着脱可能に構成したデジタルカメラであって、カメラボディを、少なくとも第一ボディと第二ボディの組み合わせにより構成し、第一ボディに、交換レンズが着脱するレンズマウントを設け、かつ少なくともシャッタユニット，撮像素子ユニット及びファインダユニットを含む光学系部品に属する第一部品群を位置決めして取り付けるとともに、第二ボディに、第一部品群を除いた電気系部品を含む第二部品群を取り付けて構成したデジタルカメラ（レンジファインダ式カメラ）が開示されている。
【０００４】
ところで、このような交換レンズを使用するレンジファインダ式カメラでは、交換レンズ側のフォーカス情報をカメラボディ側に伝達する際の伝達特性が非直線となり、しかも、テレ側ほど感度が高くなるため、交換レンズ毎に調整を行うことにより当該伝達特性を規定の公差内に収めている。この調整手法としては、レンズの位置を変更する光学的調整とフォーカス情報伝達機構の一部を変更する機械的調整が知られているが、一般的には光学系に影響を与えない機械的調整が用いられている。この機械的調整は、通常、次のように行われる。フォーカス情報伝達機構は、交換レンズ側に配した伝達用筒体の端縁に傾斜辺を形成し、この傾斜辺にカメラボディ側に配した被伝達部を当接させることにより、伝達用筒体の周方向変位を被伝達部の軸方向変位として伝達しているため、調整に際しては、セミアッセンブリ状態における交換レンズの焦点距離を計測し、この焦点距離にマッチングする伝達特性が得られるように、伝達用筒体の傾斜辺を切削して調整する。
【特許文献１】特開２００５−２５０００６号公報
【発明の開示】
【発明が解決しようとする課題】
【０００５】
しかし、上述したレンジファインダ式カメラに使用する交換レンズは、次のような問題点があった。
【０００６】
第一に、伝達特性を調整するに際しては、伝達用筒体の端縁に対する切削による機械的な調整加工が必要になるため、加工精度が要求される。したがって、調整加工が容易でなく、調整加工（調整工程）の時間が長くなることによる作業能率の大幅な低下を招く。しかも、切削し過ぎた場合の不良品が発生する虞れがある。
【０００７】
第二に、フォーカス情報伝達機構の最終段に備える伝達用筒体を加工するため、この伝達用筒体の取外しが困難となる。したがって、セミアッセンブリ状態の交換レンズに対して調整加工を行う必要があり、セミアッセンブリ状態の交換レンズに対して、振動や熱，切粉等の悪影響を与えやすい。
【０００８】
本発明は、このような背景技術に存在する課題を解決したレンジファインダ式カメラ用交換レンズの提供を目的とするものである。
【課題を解決するための手段】
【０００９】
本発明に係るレンジファインダ式カメラ用交換レンズ１は、上述した課題を解決するため、フォーカスリング２の周方向変位を第一運動変換機構３により軸方向変位に変換してレンズＬｆに伝達するフォーカシング機構Ｍｆと、フォーカスリング２の周方向変位を第二運動変換機構４により軸方向変位に変換し、カメラボディ１００のレンジファインダ１０１にリンクする被伝達部１０２に伝達するフォーカス情報伝達機構Ｍｔを備える交換レンズを構成するに際して、フォーカスリング２の内周面に設けた雌ネジ部２ｎとこのフォーカスリング２を内側で支持するリング支持筒部５の外周面に設けた雄ネジ部５ｓを螺合させた補正運動変換部Ｍｓを有するとともに、補正運動変換部Ｍｓを、フォーカスリング２の周方向変位量に対する運動変換後の軸方向変位量の変換比の異なる複数の補正運動変換部Ｍｓａ，Ｍｓｂ…から選択可能な補正量選択手段Ｆｓを備えることを特徴とする。
【００１０】
この場合、発明の好適な態様により、第二運動変換機構４は、フォーカスリング２に対して軸方向変位が許容され、かつ周方向変位が規制されるとともに、周面部にカム溝部１１ｓ…を有する第一伝達筒１１と、カム溝部１１ｓ…に係合する係合部１２ｓ…を有し、かつ外端が被伝達部１０２に係合するとともに、軸方向変位が許容され、かつ周方向変位が規制された第二伝達筒１２を備えて構成できる。また、補正量選択手段Ｆｓは、予め異なる位置に一緒に形成した複数の異なる補正運動変換部Ｍｓａ…の中から使用する補正運動変換部Ｍｓａ…以外の補正運動変換部Ｍｓｂ…を切削可能に構成することができる。この際、使用する補正運動変換部Ｍｓａ…以外の補正運動変換部Ｍｓｂ…の切削は、雌ネジ部２ｎ…と雄ネジ部５ｓ…の一方又は双方に対して行うことができる。他方、他の補正量選択手段Ｆｓとしては、異なる雌ネジ部２ｎ…をそれぞれ形成した複数のフォーカスリング２…、又フォーカスリング２に着脱可能に構成し、異なる雌ネジ部２ｎ…をそれぞれ形成した複数のリング補助部品１３…を用いるとともに、異なる雄ネジ部５ｓ…をそれぞれ形成した複数のリング支持筒部５…、又はリング支持筒部５に着脱可能に構成し、異なる雄ネジ部５ｓ…をそれぞれ形成した複数の支持筒補助部品を用いることができる。
【発明の効果】
【００１１】
このような構成を有する本発明に係るレンジファインダ式カメラ用交換レンズ１によれば、次のような顕著な効果を奏する。
【００１２】
（１）  フォーカスリング２の内周面に設けた雌ネジ部２ｎとこのフォーカスリング２を内側で支持するリング支持筒部５の外周面に設けた雄ネジ部５ｓを螺合させた補正運動変換部Ｍｓを、フォーカスリング２の周方向変位量に対する運動変換後の軸方向変位量の変換比の異なる複数の補正運動変換部Ｍｓａ…から選択可能にしたため、従来のような機械的な調整加工が不要となり、調整工程の容易化及び時間短縮を図れる。したがって、調整工程の調整能率向上を実現できるとともに、調整工程段階における不良品発生の虞れも生じない。
【００１３】
（２）  補正運動変換部Ｍｓは、フォーカス情報伝達機構Ｍｔの前段に備えるフォーカスリング２とリング支持筒部５間に設けたため、フォーカスリング２又はリング支持筒部５に加工を施す必要がある場合であっても加工後に組付けることができる。したがって、セミアッセンブリ状態の交換レンズに対して、振動や熱，切粉等の悪影響を与える不具合を回避できる。
【００１４】
（３）  好適な態様により、第二運動変換機構４を、フォーカスリング２に対して軸方向変位が許容され、かつ周方向変位が規制されるとともに、周面部にカム溝部１１ｓ…を有する第一伝達筒１１と、カム溝部１１ｓ…に係合する係合部１２ｓ…を有し、かつ外端が被伝達部１０２に係合するとともに、軸方向変位が許容され、かつ周方向変位が規制された第二伝達筒１２を備えて構成すれば、カメラボディ１００のレンジファインダ１０１にリンクする被伝達部１０２に係合する第二伝達筒１２は周方向変位しないため、より確実かつ安定した変位伝達を行うことができる。
【００１５】
（４）  好適な態様により、補正量選択手段Ｆｓを、予め異なる位置に一緒に形成した複数の異なる補正運動変換部Ｍｓａ，Ｍｓｂ…の中から使用する補正運動変換部Ｍｓａ…以外の補正運動変換部Ｍｓｂ…を切削可能に構成すれば、部品点数の増加を招くことなく容易に実施できる。特に、単なる除去のための切削加工で済み、加工精度が要求されないため、加工も短時間で容易に行うことができる。
【００１６】
（５）  好適な態様により、補正量選択手段Ｆｓとして、異なる雌ネジ部２ｎ…をそれぞれ形成した複数のフォーカスリング２…、又フォーカスリング２に着脱可能に構成し、異なる雌ネジ部２ｎ…をそれぞれ形成した複数のリング補助部品１３…を用いるとともに、異なる雄ネジ部５ｓ…をそれぞれ形成した複数のリング支持筒部５…、又はリング支持筒部５に着脱可能に構成し、異なる雄ネジ部５ｓ…をそれぞれ形成した複数の支持筒補助部品を用いれば、切削加工は一切不要になり、調整工程に要する時間を大幅に短縮できるとともに、部品点数は増加するものの調整範囲に制限がなくなるため、精度の高い調整を容易に行うことができる。
【発明を実施するための最良の形態】
【００１７】
次に、本発明に係る最良の実施形態を挙げ、図面に基づき詳細に説明する。
【００１８】
まず、本実施形態に係るレンジファインダ式カメラ用交換レンズ１の構成について、図１〜図４を参照して説明する。
【００１９】
図１は、本実施形態に係る交換レンズ１の上半部を示す。交換レンズ１は、レンズ鏡筒２１を備え、このレンズ鏡筒２１は、複数の筒体の組合わせにより構成する。レンズ鏡筒２１の後端には、図２に示すカメラボディ１００の前面に設けたレンズマウント部１２０に着脱するバヨネット結合部２１ｊを有する。レンズ鏡筒２１の内部には、前側から第一レンズＬａ，第二レンズＬｂ，フォーカスレンズＬｆを収容する。各レンズＬａ，Ｌｂは、レンズ枠２２ａ，２２ｂによりそれぞれ保持されるとともに、フォーカスレンズＬｆはフォーカスレンズ筒２２ｆによりレンズ鏡筒２１の軸方向へ変位自在に支持される。なお、各レンズＬａ，Ｌｂ，Ｌｆには、単レンズのみならずレンズ群や複合レンズなども含まれる。
【００２０】
一方、レンズ鏡筒２１の外周面にはフォーカスリング２を備えるとともに、レンズ鏡筒２１の内部には、フォーカシング機構Ｍｆ及びフォーカス情報伝達機構Ｍｔを備える。フォーカシング機構Ｍｆは、フォーカスリング２の周方向変位を第一運動変換機構３により軸方向変位に変換してレンズＬｆ（フォーカスレンズ筒２２ｆ）に伝達する機能を有する。第一運動変換機構３は、中間回動筒２３を備え、この中間回動筒２３の外周面をフォーカスリング２の内周面に結合するとともに、中間回動筒２３の内周面はフォーカスレンズ筒２２ｆの外周面に螺合する。この場合、レンズ鏡筒２１に開口部２４を設け、この開口部２４を通してフォーカスリング２の内周面に設けた結合片部２ｘをレンズ鏡筒２１の内部に突出させるとともに、中間回動筒２３の外周面に設けた結合片部２３ｘを結合片部２ｘを結合する。また、中間回動筒２３の内部には、上述したフォーカスレンズ筒２２ｆを配し、中間回動筒２３の内周面に設けた雌ネジ部２３ｎ（ヘリコイドネジ）とフォーカスレンズ筒２２ｆの外周面に設けた雄ネジ部２２ｓ（ヘリコイドネジ）を螺合させる。さらに、フォーカスレンズ筒２２ｆは比較的肉厚に形成し、外周面に、軸方向に沿った収容溝２５…を形成する。他方、レンズ鏡筒２１の後端から内部の軸方向に突出する内部固定筒２６を設け、この内部固定筒２６の前端に一体形成した規制片２７…を収容溝２５…に沿って配する。そして、規制片２７…には軸方向に沿った直線溝２７ｓ…を設けるとともに、この直線溝２７ｓ…に、フォーカスレンズ筒２２ｆの外周面に取付けた規制ローラ２８…を係合させる。
【００２１】
フォーカス情報伝達機構Ｍｔは、フォーカスリング２の周方向変位を第二運動変換機構４により軸方向変位に変換し、図２に示すカメラボディ１００に備える被伝達部１０２に伝達する機能を有する。なお、被伝達部１０２は被伝達ローラ１０２ｒにより構成するとともに、この被伝達ローラ１０２ｒはレンジファインダ１０１に機械的にリンクしている。第二運動変換機構４は、第一伝達筒１１と第二伝達筒１２を備え、第一伝達筒１１は、内部固定筒２６の外周面に配するとともに、第二伝達筒１２は、内部固定筒２６の内周面に配する。そして、第一伝達筒１１の前端側は中間回動筒２３の後端側に係合させるとともに、第一伝達筒１１の後端側は第二伝達筒１２の前端側にカム係合させる。この場合、第一伝達筒１１は、図３に示すように形成し、前端から軸方向に沿って設けた三つの係合凹部１１ｃ…に、中間回動筒２３の外周面に取付けた規制ローラ３２…を係合させる。また、第一伝達筒１１の後端側の周面部に、三つのカム溝部１１ｓ…を形成するとともに、内部固定筒２６の周面部に、軸方向に沿った三つの直線溝２６ｓ…を形成し、第二伝達筒１２の前端側の外周面に取付けた規制ローラ３３…（係合部１２ｓ…）を直線溝２６ｓ…及びカム溝部１１ｓ…の双方に係合させる。そして、第二伝達筒１２の後端（外端）は被伝達部１０２（被伝達ローラ１０２ｒ）に係合（当接）する。このような第二運動変換機構４を設けることにより、カメラボディ１００のレンジファインダ１０１にリンクする被伝達部１０２に係合する第二伝達筒１２は周方向変位しないため、より確実かつ安定した変位伝達を行うことができる。
【００２２】
他方、レンズ鏡筒２１の一部を構成するリング支持筒部５を備え、このリング支持筒部５の外周面にフォーカスリング２を配する。そして、フォーカスリング２とリング支持筒部５間には、補正運動変換部Ｍｓを設ける。補正運動変換部Ｍｓは、フォーカスリング２の内周面に設けた雌ネジ部２ｎとこのフォーカスリング２を内側で支持するリング支持筒部５の外周面に設けた雄ネジ部５ｓを螺合させて構成する。この雌ネジ部２ｎ及び雄ネジ部５ｓは一般的なメートルネジでよい。
【００２３】
一方、この補正運動変換部Ｍｓは、補正量選択手段Ｆｓにより、フォーカスリング２の周方向変位量に対する運動変換後の軸方向変位量の変換比の異なる複数の補正運動変換部Ｍｓａ，Ｍｓｂ…から選択できる。例示の補正量選択手段Ｆｓでは、図６（ｓ）に示すように、予め異なる位置に一緒に形成した複数（例示は三つ）の異なる補正運動変換部Ｍｓａ，Ｍｓｂ，Ｍｓｃの中から、使用する補正運動変換部Ｍｓａ…、例えば、補正運動変換部Ｍｓｂ以外の補正運動変換部Ｍｓａ，Ｍｓｃを切削することにより選択できる。図４は選択前のリング支持筒部５を示す。リング支持筒部５は、外周面に形成した三つの雄ネジ部５ｓａ，５ｓｂ，５ｓｃを有する。三つの雄ネジ部５ｓａ，５ｓｂ，５ｓｃは軸方向に所定間隔毎に配し、それぞれ雄ネジ部５ｓａ，５ｓｂ，５ｓｃの螺旋角、即ち、図４に示す螺旋方向の角度Ｒａ（５ｓａ），Ｒｂ（５ｓｂ），Ｒｃ（５ｓｃ）を異ならせる。例示の場合、Ｒａ＞Ｒｂ＞Ｒｃである。この場合、角度Ｒｂは基準的な角度となる。即ち、角度Ｒｂの補正運動変換部Ｍｓｂは、焦点距離の誤差がゼロ又はほとんど無い場合に対応している。このため、補正運動変換部Ｍｓｂの補正量を相殺する変換量が、第一運動変換機構３において予め設定されている。また、フォーカスリング２の内周面にも、雄ネジ部５ｓａ，５ｓｂ，５ｓｃに対応する雌ネジ部２ｎａ，２ｎｂ，２ｎｃをそれぞれ設ける（図６（ｓ）参照）。これにより、フォーカスリング２の周方向変位量に対する運動変換後の軸方向変位量の変換比の異なる三つの補正運動変換部Ｍｓａ，Ｍｓｂ，Ｍｓｃが構成される。このような補正量選択手段Ｆｓを設ければ、部品点数の増加を招くことなく容易に実施できるとともに、単なる除去のための切削加工で済み、加工精度が要求されないため、加工も短時間で容易に行うことができる。
【００２４】
次に、本実施形態に係るレンジファインダ式カメラ用交換レンズ１の機能について、図１〜図８を参照して説明する。
【００２５】
最初に、補正量選択手段Ｆｓの機能（利用方法）について、図６（図４）を参照して説明する。まず、リング支持筒部５は、図４（図６（ｓ））に示すように、外周面に三つの雄ネジ部５ｓａ，５ｓｂ，５ｓｃを設けた状態で製作するとともに、フォーカスリング２も、図６（ｓ）に示すように、内周面に三つの雌ネジ部２ｎａ，２ｎｂ，２ｎｃを設けた状態で製作する。即ち、三つの補正運動変換部Ｍｓａ，Ｍｓｂ，Ｍｓｃを選択できる状態に製作する。一方、このリング支持筒部５及びフォーカスリング２を除いたサブアッセンブリ状態の交換レンズを組立てる。したがって、サブアッセンブリ状態とは、少なくとも焦点距離を測定できるとともに、リング支持筒部５及びフォーカスリング２を除いた状態或いはリング支持筒部５又はフォーカスリング２を仮組付けした状態となる。そして、サブアッセンブリ状態の交換レンズに対して焦点距離計測装置を用いて焦点距離の測定を行う。
【００２６】
ところで、前述したように、交換レンズ１を使用するレンジファインダ式カメラでは、交換レンズ１側のフォーカス情報をカメラボディ１００側に伝達する際の伝達特性が非直線となり、しかも、テレ側ほど感度が高くなる。図７は、焦点距離８２ｍｍ（中望遠レンズ）の交換レンズ１における１／距離に対する誤差〔ｍｍ〕を示している。図７中、Ｑａｒは、焦点距離８２ｍｍの交換レンズ１が実際には焦点距離８２．５ｍｍの交換レンズとして組上がった場合の誤差、Ｑｂｒは、同じく焦点距離８１．５ｍｍの交換レンズとして組上がった場合の誤差をそれぞれ示している。
【００２７】
したがって、サブアッセンブリ状態の交換レンズの焦点距離を測定することにより、実際に発生している誤差（Ｑａｒ…）を知ることができる。実際の焦点距離が得られたなら三つの補正運動変換部Ｍｓａ，Ｍｓｂ，Ｍｓｃから、この誤差を相殺する補正量を有する補正運動変換部を選択し、補正運動変換部Ｍｓとして用いる。例えば、補正運動変換部Ｍｓｂを選択した場合には、リング支持筒部５の外周面に設けた雄ネジ部５ｓｂを残し、他の雄ネジ部５ｓａと５ｓｃを除去加工すればよい。図６（ａ）は、補正運動変換部Ｍｓａを選択した場合、図６（ｂ）は、補正運動変換部Ｍｓｂを選択した場合、図６（ｃ）は、補正運動変換部Ｍｓｃを選択した場合をそれぞれ示す。この後、リング支持筒部５及びフォーカスリング２の組付を行う。図７に示すＱａは、Ｑａｒの補正後のシュミレーション特性、Ｑｂは、Ｑｂｒの補正後のシュミレーション特性である。実際の場合も、このようなシュミレーション特性に準じた補正が可能となる。図８は、誤差のレンジを拡大して表示したものである。
【００２８】
次に、交換レンズ１の全体の機能について、図１及び図５を参照して説明する。今、フォーカスリング２を手で回動操作した場合を想定する。これにより、フォーカスリング２の周方向変位（矢印Ｄ１ｒ方向）は、第一運動変換機構３により軸方向変位に変換され、フォーカスレンズ筒２２ｆに伝達される。即ち、この場合、フォーカスリング２の周方向の変位により一体の中間回動筒２３も周方向に変位するとともに、中間回動筒２３の内周面に設けた雌ネジ部２３ｎはフォーカスレンズ筒２２ｆの外周面に設けた雄ネジ部２２ｓに螺合し、また、フォーカスレンズ筒２２ｆの規制ローラ２８…は、内部固定筒２６に設けた直線溝２７ｓ…に係合しているため、中間回動筒２３の周方向変位は、フォーカスレンズ筒２２ｆの軸方向変位、更にはこのフォーカスレンズ筒２２ｆに保持されるフォーカスレンズＬｆの軸方向変位に変換されるフォーカシング調整が行われる。この際、フォーカスリング２の内周面に設けた雌ネジ部２ｎは、リング支持筒部５の外周面に設けた雄ネジ部５ｓに螺合しているため、フォーカスリング２の周方向変位によりフォーカスリング２自身も軸方向（矢印Ｄ１ｓ方向）に変位する。したがって、この軸方向変位は中間回動筒２３とフォーカスレンズ筒２２ｆ間で生じる軸方向変位に加算されることになる。なお、フォーカスリング２の軸方向変位は、通常、０．５〔ｍｍ〕程度となるため、フォーカスリング２の操作性に影響することはない。
【００２９】
一方、図５に示すように、フォーカスリング２の周方向変位（矢印Ｄ１ｒ方向）は、第二運動変換機構４により軸方向変位に変換され、カメラボディ１００のレンジファインダ１０１にリンクする被伝達部１０２に伝される。即ち、中間回動筒２３の外周面に取付けた規制ローラ３２…は、第一伝達筒１１の先端に設けた軸方向の係合凹部１１ｃ…に係合しているため、第一伝達筒１１は中間回動筒２３の周方向変位に追従して一体に周方向変位する（矢印Ｄ２方向）。また、第二伝達筒１２の外周面に設けた規制ローラ３３…は、第一伝達筒１１の周面部に設けたカム溝部１１ｓ…に係合するとともに、内部固定筒２６の周面部に設けた直線溝２６ｓ…に係合するため、第一伝達筒１１の周方向の変位は、第二伝達筒１２の軸方向変位（矢印Ｄ３方向）に変換される。一方、被伝達部１０２は、第二伝達筒１２の外端に当接するため、この被伝達部１０２に第二伝達筒１２の軸方向変位が伝達される。なお、被伝達部１０２は、スプリング等により、常時、第二伝達筒１２の外端に当接（圧接）する。
【００３０】
よって、このような本実施形態に係る交換レンズ１によれば、フォーカスリング２の内周面に設けた雌ネジ部２ｎとこのフォーカスリング２を内側で支持するリング支持筒部５の外周面に設けた雄ネジ部５ｓを螺合させた補正運動変換部Ｍｓを、フォーカスリング２の周方向変位量に対する運動変換後の軸方向変位量の変換比の異なる複数の補正運動変換部Ｍｓａ…から選択可能にしたため、従来のような機械的な調整加工が不要となり、調整工程の容易化及び時間短縮を図れる。したがって、調整工程の調整能率向上を実現できるとともに、調整工程段階における不良品発生の虞れも生じない。また、補正運動変換部Ｍｓは、フォーカス情報伝達機構Ｍｔの前段に備えるフォーカスリング２とリング支持筒部５間に設けたため、フォーカスリング２又はリング支持筒部５に加工を施す必要がある場合であっても加工後に組付けることができる。したがって、セミアッセンブリ状態の交換レンズに対して、振動や熱，切粉等の悪影響を与える不具合を回避できる。
【００３１】
他方、図９には、補正量選択手段Ｆｓの変更実施形態を示す。図９に示す補正量選択手段Ｆｓは、フォーカスリング２の内周面に小リング形状の段差を介した切欠部５１を形成し、この切欠部５１に、雌ネジ部２ｎを形成したリング補助部品１３を装着可能に構成したものである。このリング補助部品１３は、切欠部５１に対して着脱可能である。したがって、このようなリング補助部品１３を複数用意するとともに、各リング補助部品１３…にそれぞれ異なる雌ネジ部２ｎ…を形成すれば、任意のリング補助部品１３、即ち、任意の雌ネジ部２ｎ（補正運動変換部Ｍｓ）を選択して使用可能となる。リング補助部品１３の装着は、切欠部５１内の段差部に、ストッパ５２を螺着し、リング補助部品１３に形成した係合凹部１３ｃを当該ストッパ５２に係合させてリング補助部品１３の回り止めを行うとともに、当該切欠部５１内の段差部に対して反対側に設けた雌ネジ部５１ｎに固定リング５３を螺着すればよい。同様に、リング支持筒部５もレンズ鏡筒２１に対して着脱可能に構成するとともに、外周面に異なる雄ネジ部５ｓ…を形成した複数のリング支持筒部５…を用意すれば、任意のリング支持筒部５を選択して使用可能となる。リング支持筒部５の装着は、レンズ鏡筒２１内にストッパ５４を螺着し、リング支持筒部５に形成した係合凹部５ｃを当該ストッパ５４に係合させて回り止めを行うとともに、レンズ鏡筒２１内における当該ストッパ５４に対して反対側の位置に設けた雌ネジ部２１ｎに固定リング５５を螺着すればよい。
【００３２】
例示は、フォーカスリング２の一部をリング補助部品１３として構成し、リング支持筒部５は全体を利用した形態としたが、リング支持筒部５の一部をリング補助部品として構成し、フォーカスリング２は全体を利用した形態としてもよい。したがって、図９に示す補正量選択手段Ｆｓは、異なる雌ネジ部２ｎ…をそれぞれ形成した複数のフォーカスリング２…、又フォーカスリング２に着脱可能に構成し、異なる雌ネジ部２ｎ…をそれぞれ形成した複数のリング補助部品１３…を用いるとともに、異なる雄ネジ部５ｓ…をそれぞれ形成した複数のリング支持筒部５…、又はリング支持筒部５に着脱可能に構成し、異なる雄ネジ部５ｓ…をそれぞれ形成した複数の支持筒補助部品を用いることができる。このような補正量選択手段Ｆｓを用いれば、切削加工は一切不要になり、調整工程に要する時間を大幅に短縮できるとともに、部品点数は増加するものの調整範囲に制限がなくなるため、精度の高い調整を容易に行うことができる。
【００３３】
以上、最良の実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００３４】
例えば、補正量選択手段Ｆｓにより選択できる補正運動変換部Ｍｓａ…として三つの補正運動変換部Ｍｓａ…を例示したが、二つ又は四つ以上であってもよい。また、使用する補正運動変換部Ｍｓａ…以外の補正運動変換部Ｍｓｂ…の切削は、雄ネジ部５ｓ…のみを切削する場合を挙げたが、雌ネジ部２ｎ…のみを切削してもよいし、或いは商品性を考慮して雌ネジ部２ｎ…と雄ネジ部５ｓ…の双方を切削してもよい。なお、本発明に係る交換レンズ１は、例示に限定されるものではなく、各種タイプの交換レンズ１に利用できるとともに、カメラボディ１００も、デジタルカメラであってもよいし、フィルムカメラであってもよい。
【図面の簡単な説明】
【００３５】
【図１】本発明の最良の実施形態に係る交換レンズの上半部を示す断面側面図、
【図２】同交換レンズを装着するカメラボディの正面図、
【図３】同交換レンズに使用する第一伝達筒の断面側面図、
【図４】同交換レンズに使用するリング支持筒部の側面図、
【図５】同交換レンズの作用説明図、
【図６】同交換レンズにおける補正量選択手段の機能説明図、
【図７】同交換レンズの１／距離に対する誤差の特性図、
【図８】同交換レンズの１／距離に対する誤差の特性図、
【図９】変更実施形態に係る補正量選択手段の構成説明図、
【符号の説明】
【００３６】
１：レンジファインダ式カメラ用交換レンズ，２：フォーカスリング，２ｎ：雌ネジ部，３：第一運動変換機構，４：第二運動変換機構，５：リング支持筒部，５ｓ：雄ネジ部，１１：第一伝達筒，１１ｓ…：カム溝部，１２：第二伝達筒，１２ｓ…：係合部，１３…：リング補助部品，１００：カメラボディ，１０１：レンジファインダ，１０２：被伝達部，Ｌｆ：レンズ，Ｍｆ：フォーカシング機構，Ｍｔ：フォーカス情報伝達機構，Ｍｓ：補正運動変換部，Ｍｓａ：補正運動変換部，Ｍｓｂ：補正運動変換部，Ｍｓｃ：補正運動変換部，Ｆｓ：補正量選択手段
【図１】
2010054911.tif 000003
【図２】
2010054911.tif 000004
【図３】
2010054911.tif 000005
【図４】
2010054911.tif 000006
【図５】
2010054911.tif 000007
【図６】
2010054911.tif 000008
【図７】
2010054911.tif 000009
【図８】
2010054911.tif 000010
【図９】
2010054911.tif 000011